【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
複数の糸（２１，２３，３１，３３）から構成された、リアプロジェクションスクリーン（１０）に使用されるリアプロジェクション用布帛（２０，３０）であって、
1ミリメートル当たり7本よりも大きい糸密度を有し、
前記糸の最大直径が0.06ミリメートル未満であり、
拡散層を備えた、リアプロジェクション用布帛（２０，３０）。
【請求項２】
請求項１において、前記糸がモノフィラメント糸（２１，２３）であるリアプロジェクション用布帛（２０）。
【請求項３】
請求項１において、前記糸が、少なくとも2つの繊維（３１．１，３１．２，３１．３，３３．１，３３．２，３３．３）を有するマルチフィラメント糸（３１，３３）であるリアプロジェクション用布帛（３０）。
【請求項４】
請求項１から３のいずれか一項において、前記糸密度が、1ミリメートル当たり12本よりも大きいリアプロジェクション用布帛（２０，３０）。
【請求項５】
請求項１から４のいずれか一項において、前記糸密度が、1ミリメートル当たり35本未満であるリアプロジェクション用布帛（２０，３０）。
【請求項６】
請求項５において、前記糸密度が、1ミリメートル当たり25本未満であるリアプロジェクション用布帛（２０，３０）。
【請求項７】
請求項１から６のいずれか一項において、前記糸密度が、1ミリメートル当たり15〜20本であるリアプロジェクション用布帛（２０，３０）。
【請求項８】
請求項７において、前記糸密度が、1ミリメートル当たり18本であるリアプロジェクション用布帛（２０，３０）。
【請求項９】
請求項１から８のいずれか一項において、前記糸の直径が0.05ミリメートル未満であるリアプロジェクション用布帛（２０，３０）。
【請求項１０】
請求項１から９のいずれか一項において、前記糸の直径が0.01ミリメートルよりも大きいリアプロジェクション用布帛（２０，３０）。
【請求項１１】
請求項１から１０のいずれか一項において、前記糸の直径が0.02〜0.04ミリメートルであるリアプロジェクション用布帛（２０，３０）。
【請求項１２】
請求項１１において、前記糸の直径が0.03ミリメートルであるリアプロジェクション用布帛（２０，３０）。
【請求項１３】
請求項１から１２のいずれか一項において、前記糸の直径に対する前記糸密度の比率（1／ｍｍ２）が、116から3500であるリアプロジェクション用布帛（２０，３０）。
【請求項１４】
請求項１３において、前記糸の直径に対する前記糸密度の比率（1／ｍｍ２）が、200から2000であるリアプロジェクション用布帛（２０，３０）。
【請求項１５】
請求項１４において、前記糸の直径に対する前記糸密度の比率（1／ｍｍ２）が、400から1500であるリアプロジェクション用布帛（２０，３０）。
【請求項１６】
請求項１５において、前記糸の直径に対する前記糸密度の比率（1／ｍｍ２）が、500から900であるリアプロジェクション用布帛（２０，３０）。
【請求項１７】
請求項１６において、前記糸の直径に対する前記糸密度の比率（1／ｍｍ２）が、550から850であるリアプロジェクション用布帛（２０，３０）。
【請求項１８】
請求項１から１７のいずれか一項において、メッシュ寸法が、0.15ｍｍ未満であるリアプロジェクション用布帛（２０，３０）。
【請求項１９】
請求項１８において、前記メッシュ寸法が、0.1ｍｍ未満であるリアプロジェクション用布帛（２０，３０）。
【請求項２０】
請求項１９において、前記メッシュ寸法が、0.05〜0.07ｍｍであるリアプロジェクション用布帛（２０，３０）。
【請求項２１】
請求項２０において、前記メッシュ寸法が、0.55ｍｍであるリアプロジェクション用布帛（２０，３０）。
【請求項２２】
請求項１から２１のいずれか一項において、開口率が、5〜40％であるリアプロジェクション用布帛（２０，３０）。
【請求項２３】
請求項２２において、前記開口率が、7〜25％であるリアプロジェクション用布帛（２０，３０）。
【請求項２４】
請求項２３において、前記開口率が、9〜20％であるリアプロジェクション用布帛（２０，３０）。
【請求項２５】
請求項１から２４のいずれか一項において、前記糸（２１，２３，３１，３３）が、不透明繊維、透明繊維または半透明繊維から構成されているリアプロジェクション用布帛（２０，３０）。
【請求項２６】
請求項１から２５のいずれか一項において、前記糸（２１，２３，３１，３３）が、織物用繊維から構成されているリアプロジェクション用布帛（２０，３０）。
【請求項２７】
請求項１から２６のいずれか一項において、前記糸（２１，２３，３１，３３）が、１つ以上の合成繊維から構成されているリアプロジェクション用布帛（２０，３０）。
【請求項２８】
請求項１から２７のいずれか一項において、前記糸（２１，２３，３１，３３）が、合成高分子繊維もしくは天然高分子繊維またはこれらの繊維混合物を有する合成繊維から構成されているリアプロジェクション用布帛（２０，３０）。
【請求項２９】
請求項１から２８のいずれか一項において、前記糸（２１，２３，３１，３３）が、縮合重合による繊維で構成されているリアプロジェクション用布帛（２０，３０）。
【請求項３０】
請求項２９において、前記糸（２１，２３，３１，３３）が、ポリエステル（ＰＥＳ）、ポリエチレンテレフタレート（ＰＥＴ）、ポリアミド（ＰＡ）、アラミド、またはこれらの組合せを含むグループから選択される材料の繊維で構成されているリアプロジェクション用布帛（２０，３０）。
【請求項３１】
請求項１から２８のいずれか一項において、前記糸（２１，２３，３１，３３）が、重合による繊維で構成されているリアプロジェクション用布帛（２０，３０）。
【請求項３２】
請求項３１において、前記糸（２１，２３，３１，３３）が、ポリアクリロニトリル（ＰＡＮ）、ポリテトラフルオロエチレン、ポリエチレン（ＰＥ）、ポリプロピレン（ＰＰ）、ポリ塩化ビニル、またはこれらの組合せを含むグループから選択される材料の繊維で構成されているリアプロジェクション用布帛（２０，３０）。
【請求項３３】
請求項１から２８のいずれか一項において、前記糸（２１，２３，３１，３３）が、重付加による繊維で構成されているリアプロジェクション用布帛（２０，３０）。
【請求項３４】
請求項３３において、前記重付加による繊維が、ポリウレタン（エラスタン）の繊維を含む、リアプロジェクション用布帛（２０，３０）。
【請求項３５】
請求項１から３４のいずれか一項において、前記拡散層が、不透明な被覆物を含む、リアプロジェクション用布帛（２０，３０）。
【請求項３６】
請求項３５において、前記不透明な被覆物が、プラスチック材料を含む、リアプロジェクション用布帛（２０，３０）。
【請求項３７】
請求項１から３６のいずれか一項において、前記拡散層が、布帛の特性に適合した、含浸物と被覆物のいずれか一方または両方を含む、リアプロジェクション用布帛（２０，３０）。
【請求項３８】
請求項３７において、前記含浸物と被覆物のいずれか一方または両方が、布帛の弾性率とリラクセーション値のいずれか一方または両方に適合している、リアプロジェクション用布帛（２０，３０）。
【請求項３９】
請求項１から３８のいずれか一項において、前記拡散層が、エマルションの形態で適用される、含浸物と被覆物のいずれか一方または両方を含む、リアプロジェクション用布帛（２０，３０）。
【請求項４０】
請求項３９において、前記エマルションが、ポリビニルアルコールが水に添加された形態で適用される、リアプロジェクション用布帛（２０，３０）。
【請求項４１】
請求項１から４０のいずれか一項において、前記拡散層が、湿潤剤と保存剤のいずれか一方または両方を含む、含浸物と被覆物のいずれか一方または両方を含む、リアプロジェクション用布帛（２０，３０）。
【請求項４２】
請求項１から４１のいずれか一項において、前記拡散層が、弾性剤を含む、含浸物と被覆物のいずれか一方または両方を含む、リアプロジェクション用布帛（２０，３０）。
【請求項４３】
請求項４２において、前記弾性剤が、軟化剤とエラスタンのいずれか一方または両方を含む、リアプロジェクション用布帛（２０，３０）。
【請求項４４】
請求項１から４３のいずれか一項において、前記拡散層が、不透明化剤を含む、含浸物と被覆物のいずれか一方または両方を含む、リアプロジェクション用布帛（２０，３０）。
【請求項４５】
請求項４４において、前記不透明化剤が、スターチ、発泡剤および消泡剤のうちの任意の1つもしくは２つまたは全てを含む、リアプロジェクション用布帛（２０，３０）。
【請求項４６】
請求項４５において、前記不透明化剤が、発泡状態で添加される、リアプロジェクション用布帛（２０，３０）。
【請求項４７】
請求項４５において、前記発泡剤がソープを含む、リアプロジェクション用布帛（２０，３０）。
【請求項４８】
請求項１から４７のいずれか一項において、前記拡散層が、耐水性を向上させる添加剤を含む、含浸物と被覆物のいずれか一方または両方を含む、リアプロジェクション用布帛（２０，３０）。
【請求項４９】
請求項１から４８のいずれか一項において、前記拡散層が、水性分散液として施された、含浸物と被覆物のいずれか一方または両方を含む、リアプロジェクション用布帛（２０，３０）。
【請求項５０】
請求項４９において、前記水性分散液が、ホモポリマー分散液またはコポリマー分散液を含む、リアプロジェクション用布帛（２０，３０）。
【請求項５１】
請求項５０において、前記ホモポリマー分散液またはコポリマー分散液が、アセテート、エチレン、アクリルエステル、アクリレートエステルおよびアクリル酸エステルから選択された少なくとも一種を構成要素とする、リアプロジェクション用布帛（２０，３０）。
【請求項５２】
請求項１から５１のいずれか一項において、前記拡散層が、アルデヒド樹脂、メラミン樹脂またはユリア樹脂を含む、含浸物と被覆物のいずれか一方または両方を含む、リアプロジェクション用布帛（２０，３０）。
【請求項５３】
請求項１から５２のいずれか一項において、前記拡散層が、硬化剤を含む、含浸物と被覆物のいずれか一方または両方を含む、リアプロジェクション用布帛（２０，３０）。
【請求項５４】
請求項５３において、前記硬化剤が、酸とイソシアネートのいずれか一方または両方を含む、リアプロジェクション用布帛（２０，３０）。
【請求項５５】
請求項１から５４のいずれか一項に記載のリアプロジェクション用布帛（２０，３０）により構成されるリアプロジェクション平面体（１１）を備えたリアプロジェクションスクリーン（１０）。
【請求項５６】
請求項５５において、前記リアプロジェクション平面体（１１）を包囲するスリーブ（１３）、および固定手段（１９）を備えたリアプロジェクションスクリーン（１０）。
【請求項５７】
請求項５５または５６において、固定手段（１９）が、前記リアプロジェクション平面体（１１）を引っ張り固定するように構成されているリアプロジェクションスクリーン（１０）。
【請求項５８】
請求項５５または５６において、固定手段に1つ以上のクランプレールが設けられているリアプロジェクションスクリーン（１０）。
【請求項５９】
請求項５８において、前記固定手段には、補助部材を用いて、前記1つ以上のクランプレールが設けられている、リアプロジェクションスクリーン（１０）。
【請求項６０】
請求項５８または５９において、前記固定手段には、接着剤を用いて、前記1つ以上のクランプレールが設けられている、リアプロジェクションスクリーン（１０）。
【請求項６１】
請求項５６から６０のいずれか一項において、前記リアプロジェクション平面体（１１）が多角形状であるリアプロジェクションスクリーン（１０）。
【請求項６２】
請求項５６から６１のいずれか一項に記載のリアプロジェクションスクリーン（１０）を備えるリアプロジェクションシステム（４０）であって、さらに、
前記リアプロジェクションスクリーン（１０）の裏側に画像（４１）を投影するプロジェクタ（４３）を備えたリアプロジェクションシステム（４０）。
【請求項６３】
請求項６２において、前記プロジェクタ（４３）が、データプロジェクタまたはレーザプロジェクタであるリアプロジェクションシステム（４０）。
【請求項６４】
請求項１から５４のいずれか一項に記載のリアプロジェクション用布帛（２０，３０）または請求項５５から６１のいずれか一項に記載のリアプロジェクションスクリーンを、静止画像または動画像の背面投影に用いる、使用方法。